(57)【要約】【課題】通信装置など筐体内に電子機器を内蔵して屋外に設置される装置において、雨水等による筐体内への浸水を正確に検出して電子機器保護する措置を取ることを可能とする浸水検出装置および浸水検出方法を提供するとともに、当該浸水検出装置を備えた通信装置を提供する。【解決手段】浸水を検出する浸水センサ１１、基地局の設置の方向および傾きを検出する傾斜センサ１２、浸水センサ１１および傾斜センサ１２での検出情報を処理するＭＰＵ等の演算処理装置で構成される中央制御部１３、浸水を検出した後、基地局１００内の電子機器に浸水が及ぶまでの時間の算出に要するデータ等を格納し、中央制御部１３からの読み出し要求に応じて所定のデータを出力する記憶部１５、外部の通信網２０に接続され、通信データの授受を行う通信部１６とを備えている。【選択図】図１
2010198095.tif 000002
【特許請求の範囲】
【請求項１】
電子機器を内蔵して屋外に設置される筐体内への水の浸入を検出する浸水検出装置であって、
前記筐体内に設置され、前記筐体内への浸水を検出して浸水発生情報として出力する浸水センサと、
前記筐体内に設置され、前記筐体の傾斜角を検出して出力する傾斜センサと、
前記浸水センサおよび前記傾斜センサに接続され、前記浸水発生情報および前記傾斜角に基づいて、前記浸水センサと前記電子機器との間の残り体積を求め、前記残り体積に基づいて浸入した水が前記電子機器に達するまでの浸水時間を算出する制御部とを備え、
前記制御部は、前記浸水発生情報を含む優先情報を優先的に外部に出力する浸水検出装置。
【請求項２】
前記浸水検出装置は、
前記筐体の傾斜角に対する前記残り体積との関係を予めテーブル化したデータテーブルを格納した記憶部を備え、
前記制御部は、前記記憶部から読み出した前記データテーブルを参照して、検出した前記傾斜角に対する前記残り体積を求める、請求項１記載の浸水検出装置。
【請求項３】
前記浸水検出装置は、
前記浸水時間を算出するために使用される浸水速度の情報を予め前記記憶部に有し、
前記制御部は、
前記残り体積を前記浸水速度で割ることで前記浸水時間を算出する、請求項１記載の浸水検出装置。
【請求項４】
前記浸水センサは、
第１の浸水センサと、前記第１の浸水センサよりも鉛直方向上方に設置された第２のセンサとを含み、
前記制御部は、
前記第１の浸水センサが浸水を検出した後、前記第２の浸水センサが浸水を検出するまでの時間に基づいて浸水速度を算出するとともに、前記残り体積を前記浸水速度で割ることで前記浸水時間を算出する、請求項１記載の浸水検出装置。
【請求項５】
前記浸水検出装置は、通信網に接続され、
前記制御部は、前記浸水時間に基づいて、浸入した水が前記電子機器に達する浸水予定時期を算出し、前記通信網を介して外部に通知する、請求項１記載の浸水検出装置。
【請求項６】
電子機器を内蔵して屋外に設置される筐体内への水の浸入を検出する浸水検出方法であって、
(ａ)前記筐体内に設置された浸水センサが、前記筐体内への浸水を検出した場合に出力する浸水発生情報の有無により、浸水の有無を確認するステップと、
(ｂ)前記筐体内に設置された傾斜センサが検出して出力する前記筐体の傾斜角を読み取るステップと、
(ｃ)前記浸水発生情報および前記傾斜角に基づいて、前記浸水センサと前記電子機器との間の残り体積を求めるステップと、
(ｄ)前記残り体積に基づいて浸入した水が前記電子機器に達するまでの浸水時間を算出するステップとを備える、浸水検出方法。
【請求項７】
前記ステップ(ｃ)は、
前記筐体の傾斜角に対する前記残り体積との関係を予めテーブル化したデータテーブル
を参照して、前記傾斜角に対する前記残り体積を求める、請求項６記載の浸水検出方法。
【請求項８】
通信機能を実現する電子機器を内蔵して屋外に設置される筐体内への水の浸入を検出する浸水検出装置を備えた通信装置であって、
前記筐体内に設置され、前記筐体内への浸水を検出して浸水発生情報として出力する浸水センサと、
前記筐体内に設置され、前記筐体の傾斜角を検出して出力する傾斜センサと、
前記浸水センサおよび前記傾斜センサに接続され、前記浸水発生情報および前記傾斜角に基づいて、前記浸水センサと前記電子機器との間の残り体積を求め、前記残り体積に基づいて浸入した水が前記電子機器に達するまでの浸水時間を算出する制御部とを備え、
前記制御部は、前記浸水発生情報を含む優先情報を優先的に外部に出力し、
前記電子機器は、前記制御部を含む、通信装置。
【発明の詳細な説明】
【技術分野】
【０００１】
本発明は密閉型の電子機器における浸水を検出する浸水検出装置および浸水検出方法に関するとともに、当該浸水検出装置を備えた通信装置に関する。
【背景技術】
【０００２】
一般的に通信装置における基地局、例えばＰＨＳ（Personal Handyphone System）の基地局は屋外設置型であるため、密閉構造あるいは一部密閉構造の筐体に電子機器を収納した防水構造となっているが、製造時の組立て過程で筐体に予定外の隙間が生じるなどの不具合が生じると、屋外に設置した場合には、雨水等が筐体内部に浸入する可能性がある。そして、浸入した雨水等が内部の電子機器を濡らすと通信機能を含む機能に動作不良をもたらすことになるので、通信サービスを維持するためには、動作不良が起きる前に基地局を交換する必要がある。
【０００３】
そのためには、基地局内部に雨水等が浸入したことを検出して、通信システムの管理者等に報知する必要があるが、例えば特許文献１には携帯機器に湿気センサを組み込むことで水による損傷から保護することが開示されているが、基地局については有効な浸水検出装置が考案されていなかった。
【先行技術文献】
【特許文献】
【０００４】
【特許文献１】特開２００１−３３１２８１号公報
【発明の概要】
【発明が解決しようとする課題】
【０００５】
本発明は上記のような問題点を解消するためになされたもので、通信装置など筐体内に電子機器を内蔵して屋外に設置される装置において、雨水等による筐体内への浸水を正確に検出して電子機器保護する措置を取ることを可能とする浸水検出装置および浸水検出方法を提供するとともに、当該浸水検出装置を備えた通信装置を提供することを目的とする。
【課題を解決するための手段】
【０００６】
本発明に係る浸水検出装置は、電子機器を内蔵して屋外に設置される筐体内への水の浸入を検出する浸水検出装置であって、前記筐体内に設置され、前記筐体内への浸水を検出して浸水発生情報として出力する浸水センサと、前記筐体内に設置され、前記筐体の傾斜角を検出して出力する傾斜センサと、前記浸水センサおよび前記傾斜センサに接続され、前記浸水発生情報および前記傾斜角に基づいて、前記浸水センサと前記電子機器との間の残り体積を求め、前記残り体積に基づいて浸入した水が前記電子機器に達するまでの浸水時間を算出する制御部とを備え、前記制御部は、前記浸水発生情報を含む優先度情報を優先的に外部に出力する。
【０００７】
本発明に係る浸水検出装置の一態様は、前記浸水検出装置が、前記筐体の傾斜角に対する前記残り体積との関係を予めテーブル化したデータテーブルを格納した記憶部を備え、前記制御部は、前記記憶部から読み出した前記データテーブルを参照して、検出した前記傾斜角に対する前記残り体積を求める。
【０００８】
本発明に係る浸水検出装置の一態様は、前記浸水検出装置が、前記浸水時間を算出するために使用される浸水速度の情報を予め前記記憶部に有し、前記制御部は、前記残り体積を前記浸水速度で割ることで前記浸水時間を算出する。
【０００９】
本発明に係る浸水検出装置の一態様は、前記浸水センサが、第１の浸水センサと、前記第１の浸水センサよりも鉛直方向上方に設置された第２のセンサとを含み、前記制御部は、前記第１の浸水センサが浸水を検出した後、前記第２の浸水センサが浸水を検出するまでの時間に基づいて浸水速度を算出するとともに、前記残り体積を前記浸水速度で割ることで前記浸水時間を算出する。
【００１０】
本発明に係る浸水検出装置の一態様は、前記浸水検出装置は、通信網に接続され、前記制御部は、前記浸水時間に基づいて、浸入した水が前記電子機器に達する浸水予定時期を算出し、前記通信網を介して外部に通知する。
【００１１】
本発明に係る浸水検出方法は、電子機器を内蔵して屋外に設置される筐体内への水の浸入を検出する浸水検出方法であって、前記筐体内に設置された浸水センサが、前記筐体内への浸水を検出した場合に出力する浸水発生情報の有無により、浸水の有無を確認するステップ(ａ)と、前記筐体内に設置された傾斜センサが検出して出力する前記筐体の傾斜角を読み取るステップ(ｂ)と、前記浸水発生情報および前記傾斜角に基づいて、前記浸水センサと前記電子機器との間の残り体積を求めるステップ(ｃ)と、前記残り体積に基づいて浸入した水が前記電子機器に達するまでの浸水時間を算出するステップ(ｄ)とを備えている。
【００１２】
本発明に係る浸水検出方法の一態様は、前記ステップ(ｃ)が、前記筐体の傾斜角に対する前記残り体積との関係を予めテーブル化したデータテーブルを参照して、前記傾斜角に対する前記残り体積を求めるステップを含んでいる。
【００１３】
本発明に係る通信装置は、通信機能を実現する電子機器を内蔵して屋外に設置される筐体内への水の浸入を検出する浸水検出装置を備えた通信装置であって、前記筐体内に設置され、前記筐体内への浸水を検出して浸水発生情報として出力する浸水センサと、前記筐体内に設置され、前記筐体の傾斜角を検出して出力する傾斜センサと、前記浸水センサおよび前記傾斜センサに接続され、前記浸水発生情報および前記傾斜角に基づいて、前記浸水センサと前記電子機器との間の残り体積を求め、前記残り体積に基づいて浸入した水が前記電子機器に達するまでの浸水時間を算出する制御部とを備え、前記制御部は、前記浸水発生情報を優先的に外部に出力し、前記電子機器は、前記制御部を含んでいる。
【発明の効果】
【００１４】
本発明に係る浸水検出装置によれば、筐体が傾いているような場合でも、電子機器が水に濡れるまでの時間を正確に予測することができ、制御部は、浸水発生情報を含む優先情報を優先的に外部に出力することで、対応が遅れて電子機器が水に濡れることで不具合が発生することを防止できる。
【００１５】
本発明に係る浸水検出装置の一態様によれば、簡易に残り体積を求めることができ、迅速な処理が可能となる。
【００１６】
本発明に係る浸水検出装置の一態様によれば、簡易に浸水時間を求めることができ、迅速な処理が可能となる。
【００１７】
本発明に係る浸水検出装置の一態様によれば、実状に適合した浸水速度を得ることができるので、より正確な浸水時間の算出が可能となる。
【００１８】
本発明に係る浸水検出装置の一態様によれば、例えば通信システムの管理者が浸水予定時期を知ることができ、電子機器に不具合が発生する前に対応を取ることが可能となる。
【００１９】
本発明に係る浸水検出方法によれば、筐体が傾いているような場合でも、電子機器が水に濡れるまでの時間を正確に予測することができる。
【００２０】
本発明に係る浸水検出方法の一態様によれば、簡易に残り体積を求めることができ、迅速な処理が可能となる。
【００２１】
本発明に係る通信装置によれば、筐体が傾いているような場合でも、電子機器が水に濡れるまでの時間を正確に予測することができ、制御部は、浸水発生情報を含む優先情報を優先的に外部に出力することで、対応が遅れて電子機器が水に濡れることで通信機能を含む機能に不具合が発生することを防止できる。
【図面の簡単な説明】
【００２２】
【図１】本発明に係る浸水検出装置を備えた基地局の構成を示すブロック図である。
【図２】基地局の構造を単純化して説明する図である。
【図３】基地局が傾いた場合を説明する図である。
【図４】基地局がポールに取り付けられた場合を想定した模式図である。
【図５】本発明に係る浸水検出装置の動作を説明するフローチャートである。
【図６】傾斜角に対する残り体積との関係を示すデータテーブルを示す図である。
【図７】複数の浸水センサを有する浸水検出装置を備えた基地局の構成を示すブロック図である。
【図８】３次元の傾斜センサを有する浸水検出装置を備えた基地局の構成を示すブロック図である。
【発明を実施するための形態】
【００２３】
＜実施の形態＞
＜装置構成＞
図１は、本発明に係る浸水検出装置を備えた基地局の構成を示すブロック図である。図１に示すように、基地局１００は、浸水を検出する浸水センサ１１、基地局の設置の方向および傾きを検出する傾斜センサ１２、浸水センサ１１および傾斜センサ１２での検出情報を処理するＭＰＵ（microprocessing unit）等の演算処理装置で構成される中央制御部１３、浸水を検出した後、基地局１００内の電子機器に浸水が及ぶまでの時間の算出に要するデータ等を格納し、中央制御部１３からの読み出し要求に応じて所定のデータを出力する記憶部１５、外部の通信網２０に接続され、通信データの授受を行う通信部１６と、外部に対して視覚的あるいは聴覚的な方法で浸水を告知する警告表示部１７とを備えている。なお、浸水センサ１１、傾斜センサ１２、中央制御部１３および記憶部１５は、浸水検出装置９０の構成要素でもある。
【００２４】
基地局１００は、有線や無線で構成される通信網２０を介してセンタ装置２１に接続されているが、通信網２０との通信データの授受を行う通信部１６には、通信網２０からの通信データを受ける受信部１６３の他に、中央制御部１３から緊急性の高い優先情報を優先的に出力する優先度出力部１６１と、優先度出力部１６１の出力を通信網２０に出力する外部出力部１６２とを有している。
【００２５】
なお、基地局１００には上述した構成以外に、無線部、変調部や復調部、データ変換部などを備えているが、本発明とは関係が薄いので、図示ならびに説明は省略している。
【００２６】
次に、図２を用いて基地局１００内の浸水センサ１１および傾斜センサ１２の配置例について説明する。
【００２７】
図２は、簡単化のため、基地局１００が単純な直方体の筐体１１０内に収納されている構成とした場合の内部透視図であり、基地局１００の中央部のブロックで規定される領域には、電子機器１２０が配置されている。この電子機器１２０とは、浸水により濡れると通信機能を含む機能に動作不良をもたらす可能性のある機器の総称であり、そこには、図１に示した中央制御部１３、記憶部１５および通信部１６などが含まれている。
【００２８】
図２に示すように、筐体１１０の底面１１１の中央部に浸水センサ１１が設置されており、この場合は、鉛直方向（重力方向）に対して底面１１１が下側となり、底面１１１とは真反対の上面１１２が上側となるように、筐体１１０を固定する。これにより、浸水があった場合は、最初に浸水センサ１１が水に浸かることとなる。
【００２９】
なお、筐体１１０の４つの側面のうち、最大の面積を持つ２つの面を主面１１５および１１６と呼称し、図２においては主面１１５を切り欠いた状態で筐体１１０内部を示している。
【００３０】
また、図２では、鉛直方向をＺ軸とし、Ｚ軸に対して垂直な２軸をそれぞれＸ軸、Ｙ軸とし、特に、筐体１１０の厚みに平行な方向をＹ軸としている。
【００３１】
浸水センサ１１は、例えば、電極間の抵抗値により水分の有無を判定するようなセンサを使用し、湿気や結露程度では浸水したものとは検知せず、自らが水中に没する程度の浸水があって初めて浸水したものと検出するものを使用する。
【００３２】
傾斜センサ１２は、例えば電極間の静電容量の変化で傾斜を検出する２次元センサで構成され、上面１１２と側面１１３とが交わる角部に設置されている。なお、傾斜センサ１２の設置場所は角部に限定されるものではなく、浸水があった場合でも簡単には濡れない位置に設置すれば良く、少なくとも、浸水センサ１１よりもＺ方向で上側に設置すれば良い。
【００３３】
通常、製造時の組立てまでの過程で生じる筐体１１０の隙間の大きさは、ある程度の規則性を有しているので、雨水等の単位時間あたりの浸水量は予測することができる。また、浸水センサ１１と電子機器１２０との間の空間の体積は決まっているので、例えば底面１１１が水平面に対して、平行となるように設置された場合は、浸水センサ１１が水に浸かることで浸水を検知した後は、電子機器１２０に水が達するまでの時間は予め計算により求めておくことができ、浸水センサ１１が浸水を検知してから実際に機能に不具合が発生するまでの時間は比較的容易に予測することができ、浸水センサ１１から浸水を検知したという情報が与えられれば、予測される時間内に対策を講じることで、機能に不具合が発生することを防ぐことができる。
【００３４】
しかし、図２に示されるように、筐体１１０が傾斜を有して設置された場合、あるいは、設置した後に傾斜してしまった場合には、浸水センサ１１と電子機器１２０との間の空間の体積が変わってしまうので、電子機器１２０に水が達するまでの時間は予め計算により求めた時間とは異なってしまうことになる。
【００３５】
その状態を図３を用いて模式的に説明する。図３に示すように、筐体１１０の底面１１１が水平面に対して傾斜を有するように筐体１１０が設置されると、筐体１１０に浸入した水の水面ＷＳは電子機器１２０に近い部分と、電子機器１２０から遠い部分とを有することになり、電子機器１２０に近い部分の水面は、予め計算により求めた時間よりも早い時間で電子機器１２０に到達してしまうことになり、予め予測した時間内に対策を講じても、機能に不具合が発生する可能性がある。
【００３６】
しかし、本発明に係る基地局１００においては、傾斜センサ１２を浸水センサ１１と併せて用いることで、筐体１１０が傾斜を有して設置された場合でも、電子機器１２０が水に濡れるまでの時間を正確に予測することができ、当該予測時間に基づいて警報等を発することが可能となる。
【００３７】
＜装置動作＞
以下、図４〜図６を用いて浸水検出装置９０の動作について説明する。
【００３８】
図４は、基地局１００（筐体１１０）がポールＰＬに取り付けられた場合を想定した模式図であり、筐体１１０の主面１１６がポールＰＬの円筒面に取り付けられ、底面１１１が水平面（ＸＹ平面）に対して平行となるように取り付けられているものとし、ポールＰＬの延在する方向はＺ軸に平行な方向であるものとする。
【００３９】
図５は、浸水検出装置９０の動作を説明するフローチャートである。基地局１００がポールＰＬに取り付けられて動作状態になると、浸水検出装置９０が検出動作を開始し、図５に示すステップＳ１において、中央制御部１３が定期的に浸水センサ１１の確認を行い、雨水等による浸水の有無を確認する（ステップＳ２）。
【００４０】
ステップＳ２において浸水が検知されていない場合は、ステップＳ１の動作を繰り返すが、浸水が検知された場合はステップＳ３に進んで、傾斜センサ１２で検知された筐体１１０の傾斜角の読み取りを行う。
【００４１】
そして、読み取った傾斜角に基づいて、浸水センサ１１と電子機器１２０との間の空間の体積（残り体積と呼称）を算出する（ステップＳ４）。
【００４２】
この処理は、中央制御部１３が記憶部１５に格納された、傾斜角に対する残り体積との関係を予めテーブル化したデータテーブルを読み出し、それを参照することで実行される。ここで、図６に、当該データテーブルの一例を示す。
【００４３】
図６は、図４に示した模式図を前提として作成されたデータテーブルであり、基地局１００が取り付けられたポールＰＬが傾いたことによって基地局１００が傾斜しているという状況下に対応したものであり、簡単化のためＺ軸方向の傾きは考慮せず、Ｘ軸方向の傾きと、Ｙ軸方向の傾きとで基地局１００の傾斜を規定している。
【００４４】
図６において、Ｘ軸方向、Ｙ軸方向の傾斜の検出範囲は、何れもマイナス１０度からプラス１０度の範囲とし、Ｘ軸方向の傾斜角とＹ軸方向の傾斜角との交差する部分に、その傾斜状態での残り体積（単位ｍｌ）が記録されている。
【００４５】
すなわち、Ｘ軸方向の傾斜角がマイナス１０度（−１０）、Ｙ軸方向の傾斜角がマイナス１０度（−１０）となるようにポールＰＬ（図４）が傾斜した場合の残り体積は６００ｍｌであることが示されている。これの対極にある状態として、Ｘ軸方向の傾斜角がプラス１０度（＋１０）、Ｙ軸方向の傾斜角がプラス１０度（＋１０）となるようにポールＰＬが傾斜した場合も、残り体積は６００ｍｌとなることが示されている。
【００４６】
なお、ポールＰＬが傾くことなく、Ｚ軸に平行に立っている場合（Ｘ軸方向およびＹ軸方向の傾斜角が共に０度の場合）は基地局１００は傾いていないので、残り体積は最大の１０００ｍｌとなることが示されている。
【００４７】
このようなデータテーブルは、基地局１００の設計に使用されるＣＡＤ（Computer Aided Design）を用いることで作成することができ、記憶部１５に予め記憶させておけば良い。なお、基地局１００の傾斜は、図４に示すようなポールＰＮに基地局１００を取り付けた場合だけでなく、基地局１００を建物の屋上の床面に据え付けた場合のように底面が変わる場合は、図６のデータテーブルとは異なったテーブルを準備することになる。
【００４８】
中央制御部１３は、上述したようなデータテーブルを記憶部１５から読み出し、傾斜センサ１２で検知された筐体１１０の傾斜角に該当する残り体積（Ｖ）を当該データテーブルから取得する。なお、データテーブルを構成するＸ軸方向、Ｙ軸方向の傾斜角は、図６に示すように飛び飛びの値であり、それよりも傾斜センサ１２で検知精度が高い場合は、中央制御部１３で、傾斜センサ１２で検知された傾斜角を四捨五入するなどの処理を行って、データテーブルに合わせるようにする。
【００４９】
ここで再び図５の説明に戻る。ステップＳ４で、残り体積をデータテーブルから取得した中央制御部１３は、ステップＳ５において、予め実験的に求めた浸水速度（Ｓ）で残り体積を割ることで、電子機器１２０（図１）に水が到達するまでの時間（浸水時間（Ｔ）と呼称）を算出する。なお、実験的に求めた浸水速度は、記憶部１３に格納しておき、必要に応じて読み出すようにすれば良い。
【００５０】
その後、中央制御部１３は、基地局１００が浸水したことを表す浸水発生情報と、算出した電子機器１２０の浸水時間の情報に基づいて算出した、実際に電子機器１２０が浸水する日時の情報（浸水予定時期）の情報とを優先情報として通信部１６（図１）の優先度出力部１６１に与え、優先度出力部１６１から外部出力部１６２（図１）を介して通信網２０に出力し、これらの情報は通信網２０を介してセンタ装置２１（図１）に通知される（ステップＳ６）。また、センタ装置２１への上記情報の通知と併せて、警告表示部１７により、外部に対して視覚的あるいは聴覚的な方法で浸水を告知する。
【００５１】
浸水発生情報および浸水予定時期の情報を外部に出力した後は、浸水検出装置９０は検出動作を停止する。
【００５２】
ここで、優先度出力部１６１は、外部に出力されるべき各種の信号のうち、緊急性の高い情報を有した信号を優先的に出力するために設けられており、中央制御部１３から与えられる浸水発生情報や浸水予定時期の情報は、何れにも先んじて優先度の高い優先情報として優先度出力部１６１で扱われる。
【００５３】
センタ装置２１が浸水発生情報や浸水予定時期の情報の通知を受けると、通信システムの管理者は、浸水予定時期の情報に応じて対策を講じることになる。
【００５４】
なお、中央制御部１３は、浸水予定時期の情報の代わりに、浸水時間の情報を優先度出力部１６１から通信網２０を介してセンタ装置２１に通知する構成としても良く、センタ装置２１に通知された浸水時間の情報に基づいて、センタ装置２１で浸水予定時期を算出する構成としても良い。
【００５５】
＜効果＞
以上説明した本発明に係る浸水検出装置９０を備えた基地局１００によれば、基地局１００の筐体１１０が傾斜を有して設置された場合、あるいは、設置した後に傾斜してしまった場合でも、電子機器１２０が水に濡れるまでの時間を正確に予測することができるので、通信システムの管理者の対応が遅れて機能に不具合が発生することを防止できる。
【００５６】
＜変形例１＞
以上説明した浸水検出装置９０では、浸水センサ１１で浸水を検出した後、残り体積をデータテーブルから取得して、予め実験的に求めた浸水速度を残り体積に当てはめて浸水時間を算出する構成を採っていたが、Ｚ軸方向に複数の浸水センサ１１を配置することで、中央制御部１３で浸水速度（Ｓ）を計算し、残り体積（Ｖ）を割ることで浸水時間（Ｔ）を算出する構成としても良い。図７に、その一例を示す。
【００５７】
図７に示すように、筐体１１０の底面１１１の中央部に浸水センサ１１が設置されるとともに、側面１１３に浸水センサ１１Ａが取り付けられ、側面１１４に浸水センサ１１Ｂが取り付けられている。
【００５８】
浸水センサ１１Ａおよび１１Ｂは、浸水センサ１１の取り付け位置よりもＺ軸方向で上側であって、電子機器１２０よりも下側となるように取り付けられている。
【００５９】
従って、例えば、筐体１１０の底面１１１が水平面に対して傾斜を有するように筐体１１０が設置された場合に、筐体１１０に浸入した水の水面ＷＳが、電子機器１２０に近い部分と、電子機器１２０から遠い部分とを有しても、浸水センサ１１Ａおよび１１Ｂの一方が水没することで水面ＷＳが電子機器１２０に接近したことを検知するとともに、浸水センサ１１が浸水を検知（すなわち水没を検知）してから、浸水センサ１１Ａおよび１１Ｂの一方が水没するまでの時間を知得することができ、当該時間に基づいて中央制御部１３において浸水速度（Ｓ）を計算し、残り体積（Ｖ）を割ることで浸水時間（Ｔ）を算出することができる。
【００６０】
このような構成を採ることで、浸水速度を予め実験的に求めておく必要がなくなり、基地局１００の製造コストを低減できるとともに、実状に適合した浸水速度を得ることができるので、より正確な浸水時間の算出が可能となる。
【００６１】
＜変形例２＞
以上説明した浸水検出装置９０では、傾斜センサ１２は２次元センサを使用するものとして説明したが、２次元センサではなく３次元センサを使用する構成としても良い。
【００６２】
すなわち、図８に示すように、底面１１１と側面１１４とが交わる角部に浸水センサ１１Ｂを設置し、上面１１２と側面１１３とが交わる角部に浸水センサ１１Ａを設置し、主面１１６（または主面１１５）の中央部に３次元センサ１２Ａを設置することで、筐体１１０の設置方向の自由度を高めることができる。
【００６３】
筐体１１０のような６面体の場合、何れの面を底面にして良いのであれば６種類の取り付けパターンが考えられる。
【００６４】
図８のように浸水センサ１１Ａおよび１１Ｂを配置すると、底面１１１、上面１１２、側面１１３および１１４の何れが底面となるように配置されても、浸水を検知することができ、また、３次元センサ１２Ａを使用することで、筐体１１０が何れの面を底面として設置されても、傾斜角を検出することができる。
【００６５】
なお、図８に示す筐体１１０は他の辺の長さに比べて厚みに相当する辺の長さが短いので、主面１１５および１１６の一方を底面とする場合は現実的ではないが、厚みに相当する辺の長さも他辺と同程度の筐体であれば、６面の何れを底面として設置することも可能となる。
【００６６】
６面の何れを底面にするかによって、浸水センサ１１Ａおよび１１Ｂの一方が水没した後の残り体積は異なるが、３次元センサ１２Ａにより何れの面が底面になっているかを検知できるので、予め、各底面ごとに図６に示したデータテーブルを準備しておけば、何れの面を底面とした場合でも残り体積を求めることができ、浸水時間を算出することができる。
【００６７】
このように、筐体１１０の設置方向の自由度を高めることで、基地局１００の設置作業の制約を低減することができる。
【符号の説明】
【００６８】
１１，１１Ａ，１１ｂ  浸水センサ
１２，１２Ａ  傾斜センサ
１３  中央制御部
１５  記憶部
２０  通信網
９０  電子機器
１００  基地局
１１０  筐体
【図１】
2010198095.tif 000003
【図２】
2010198095.tif 000004
【図３】
2010198095.tif 000005
【図４】
2010198095.tif 000006
【図５】
2010198095.tif 000007
【図６】
2010198095.tif 000008
【図７】
2010198095.tif 000009
【図８】
2010198095.tif 000010